(57)【要約】【課題】測定値を容易に確認できるとともに、測定値の変化や変動傾向を即座に把握できるようにする。【解決手段】測定データに基づく値を数字で示す測定値表示領域を含んだ測定値表示画面を表示する測定データ表示装置であって、測定値表示領域に、測定データに基づく値の時間的変化を示すトレンド波形を、数字に重畳して表示する。測定値表示領域は、チャネル毎に設けることができる。また、重畳される数字とトレンド波形との前後関係を選択できるようにしてもよい。【選択図】図２
2014038071.tif 000002
【特許請求の範囲】
【請求項１】
測定データに基づく値を数字で示す測定値表示領域を含んだ測定値表示画面を表示する測定データ表示装置であって、
前記測定値表示領域に、前記測定データに基づく値の時間的変化を示すトレンド波形を、前記数字に重畳して表示することを特徴とする測定データ表示装置。
【請求項２】
前記測定値表示領域は、チャネル毎に設けられることを特徴とする請求項１に記載の測定データ表示装置。
【請求項３】
重畳される前記数字と前記トレンド波形との前後関係を選択できることを特徴とする請求項１または２に記載の測定データ表示装置。
【請求項４】
前記測定値表示領域に、前記トレンド波形に対応したグリッドを表示することを特徴とする請求項１〜３のいずれか１項に記載の測定データ表示装置。
【発明の詳細な説明】
【技術分野】
【０００１】
本発明は、測定データを表示する測定データ表示装置に係り、特に、測定データの測定値と波形とを表示する測定データ表示装置に関する。
【背景技術】
【０００２】
測定データ表示装置は、フィールド等で収集した電圧、温度等の測定データを表示装置に表示する装置である。近年、測定データ表示装置の高機能化が進み、多チャネルの測定データを表示したり、多彩な表示形式を切り替えられるようになっている。
【０００３】
図５は、従来の測定データ表示装置における代表的な２つの表示形式を示している。図５（ａ）は、測定値を一覧で表示する測定値表示画面の例である。本例では、矩形の値表示領域が１０個配置され、１０チャネル分の測定値を表示している。各値表示領域にはチャネル番号、測定値、単位、アラーム情報等が表示される。測定値は、例えば、一定周期で更新され、表示に反映される。
【０００４】
図５（ｂ）は、測定値を波形で表示する波形表示画面の例である。波形表示画面は、波形表示領域５１０、スケール板５２０、値表示領域５３０に分割されている。本図の例では、波形表示領域５１０には、１０チャンネル分のトレンド波形が表示されており、さらに、カーソル５１２が表示されている。
【０００５】
値表示領域５３０に隣接するスケール板５２０には、目盛が表示されるとともに、それぞれのトレンド波形がカーソル５１２と交わる位置を示す現在値マーク５２２が、チャンネル番号を付されて表示されている。値表示領域５３０には、それぞれのトレンド波形について、カーソル５１２と交わる位置の代表値がチャンネル毎に表示されている。一般に、波形表示画面は、測定データの長期的な変動を観察するために、測定値表示画面より長い周期で更新される。
【先行技術文献】
【特許文献】
【０００６】
【特許文献１】特開２０１０−０７２６８６号公報
【発明の概要】
【発明が解決しようとする課題】
【０００７】
測定値表示画面は、現在の測定値を表示するため、値を示す数字が大きなサイズで表示される。このため、現在の測定値を離れた地点からも容易に確認することができる。しかしながら、現在の測定値しか表示されないため、測定値の変化や、変動傾向を把握することはできず、これらを確認するためには波形表示画面に切り替える必要がある。
【０００８】
一方で、波形表示画面は、測定値の変化や、変動傾向を即座に把握することができるが、波形表示が主体のため、値表示領域５３０に表示される数字のサイズは小さく、離れた地点から現在の測定値を確認することは難しい。
【０００９】
そこで、本発明は、測定値を容易に確認できるとともに、測定値の変化や変動傾向を即座に把握できるようにすることを目的とする。
【課題を解決するための手段】
【００１０】
上記課題を解決するため、本発明の測定データ表示装置は、測定データに基づく値を数字で示す測定値表示領域を含んだ測定値表示画面を表示する測定データ表示装置であって、前記測定値表示領域に、前記測定データに基づく値の時間的変化を示すトレンド波形を、前記数字に重畳して表示することを特徴とする。
ここで、前記測定値表示領域は、チャネル毎に設けることができる。
また、重畳される前記数字と前記トレンド波形との前後関係を選択できるようにしてもよい。
また、前記測定値表示領域に、前記トレンド波形に対応したグリッドを表示するようにしてもよい。
【発明の効果】
【００１１】
本発明によれば、測定値を容易に確認できるとともに、測定値の変化や変動傾向を即座に把握できるようになる。
【図面の簡単な説明】
【００１２】
【図１】本実施形態に係る測定データ表示装置の構成を示すブロック図である。
【図２】本実施形態の測定データ表示装置が表示する測定値表示画面を示す図である。
【図３】本実施形態における測定値表示画面の表示手順を示すフローチャートである。
【図４】本実施形態の変形例を示す図である。
【図５】従来の測定データ表示装置における代表的な２つの表示形式を示す図である。
【発明を実施するための形態】
【００１３】
本発明の実施の形態について図面を参照して説明する。図１は、本実施形態に係る測定データ表示装置の構成を示すブロック図である。本図に示すように、測定データ表示装置１００は、制御部１１０、測定データ入力部１２０、演算部１３０、操作受付部１４０、イメージ生成部１５０、表示制御部１６０、記憶部１７０、表示装置１８０を備えている。
【００１４】
制御部１１０は、測定データ表示装置１００を統括的に制御するブロックである。測定データ入力部１２０は、センサ等が取得した測定データを入力する。入力された測定データは、所定周期でデジタル値に変換され、記憶部１７０の記録データ格納部１７１に格納される。なお、センサを測定データ表示装置１００に内蔵するようにしてもよい。
【００１５】
演算部１３０は、測定データに対する演算を行なう。演算は、平均値算出、最大値／最小値算出、電力算出、アラーム判定等とすることができる。操作受付部１４０は、メニューキー、方向キー、決定キー等を介してユーザから操作を受け付ける。タッチパネル方式の表示装置１８０を採用して、画面タッチにより操作を受け付けるようにしてもよい。
【００１６】
イメージ生成部１５０は、記録データデータ格納部１７１に格納された測定データに基づいて波形イメージや測定値イメージ等を生成し、記憶部１７０の描画面領域１７２に描画する。表示制御部１６０は、描画面領域１７２に格納されたイメージに従って表示装置１８０に画像を表示する。
【００１７】
図２は、本実施形態の測定データ表示装置１００が表示する測定値表示画面を示す図である。本図に示すように、測定値表示画面２００は、チャネルに対応した複数の測定値表示欄２２０に分割されており、本図の例では１０チャネル分表示され、５チャネルを示す測定値表示欄２２０を拡大表示している。
【００１８】
拡大図に示すように、本実施形態の測定値表示欄２２０には、大きなサイズで表示される現在値２２１、チャネル番号２２２、単位２２３に加え、トレンド波形２２４が現在値２２１に重畳して表示されている。なお、アラームが設定されている場合には、従来通り、アラームに関する情報が表示される。また、測定値表示画面２００において、大きなサイズで表示する値は、現在値のみならず、所望のタイミングにおける値や演算結果とすることができる。
【００１９】
このように、現在値が大きく表示される測定値表示画面２００に、トレンド波形２２４を重畳して表示するため、本実施形態の測定データ表示装置１００は、表示領域が有効に活用され、測定値を容易に確認できるとともに、画面を切り替えることなく測定値の変化や変動傾向を即座に把握することができる。
【００２０】
なお、トレンド波形２２４の表示は、ユーザの設定によりオン／オフを切り替えられるようにすることが望ましい。以下では、ユーザによりオン／オフの切り換え設定がなされているものとして説明する。このとき、オン／オフの切替設定は、チャネル毎にできるようにしてもよい。
【００２１】
測定値表示欄２２０は、一般的に横長の矩形状であるため、波形表示画面の波形が縦方向表示やサーキュラー表示の場合であっても、横方向の表示とする。もちろん、ユーザの設定により表示方向を切り換えられるようにしてもよい。
【００２２】
測定値表示画面２００は、測定値を表示することがメインであるため、トレンド波形の前面に測定値を重畳することが望ましいが、トレンド波形を前面に重畳するようにしてもよい。この場合、ユーザの設定により測定値とトレンド波形との前後関係を選択できるようにしてもよい。
【００２３】
図３は、本実施形態における測定値表示画面２００の表示手順を示すフローチャートである。操作受付部１４０を介してユーザから測定表示画面の表示指示を受け付けると（Ｓ１０１）、イメージ生成部１５０が記録データ格納部１７１を参照して、表示指示に対応する測定データを取得する（Ｓ１０２）。そして、チャネル毎に現在値を示す測定値表示欄のイメージを生成して、描画面領域１７２に描画する（Ｓ１０３）。
【００２４】
トレンド波形の表示がオフに設定されている場合（Ｓ１０４：Ｎｏ）は、描画した測定値表示欄に基づいて測定値表示画面２００を生成して、表示装置１８０に表示する（Ｓ１０７）。このときに表示される測定値表示画面２００は、図５（ａ）に示した従来の測定値表示画面と同じである。
【００２５】
トレンド波形の表示がオンに設定されている場合（Ｓ１０４：Ｙｅｓ）は、取得した測定データに基づいてトレンド波形イメージを生成して、描画面領域１７２に描画する（Ｓ１０５）。トレンド波形表示する測定データ範囲は、今回の測定の開始時からとしてもよいし、記録データ格納部１７１に格納されている範囲内においてユーザから指定を受けるようにしてもよい。
【００２６】
そして、チャネル毎に測定値表示欄イメージとトレンド波形イメージとを重畳する合成を行ない（Ｓ１０６）、トレンド波形が重畳された測定値表示欄に基づいて測定値表示画面２００を生成して、表示装置１８０に表示する（Ｓ１０７）。このときに表示される画面は、図２に示した測定値表示画面２００となる。
【００２７】
現在値とトレンド波形とは、所定の周期で更新し、更新の度に再描画を行なうようにする。現在値とトレンド波形の更新周期は同じでもよいし、異なるようにしてもよいが、一般的には、現在値の更新周期の方を短くする。
【００２８】
なお、本発明は、上記の実施形態に限られない。例えば、図４（ａ）に示すように、測定値表示欄２２０のトレンド波形２２４に対応したグリッド２２５を表示するようにしてもよい。グリッド２２５は、縦線および横線を表示しているが、縦線のみを表示したり、横線のみを表示するようにしてもよい。また、グリッド２２５の表示のオン／オフをユーザが設定できるようにしてもよい。
【００２９】
さらに、図４（ｂ）に示すように、グリッド２２５の上端値／下端値２２６を表示するようにしてもよい。また、上端値／下端値に代えて、トレンド波形の最大値／最小値、平均値等を表示するようにしてもよい。
【符号の説明】
【００３０】
１００…測定データ表示装置、１１０…制御部、１２０…測定データ入力部、１３０…演算部、１４０…操作受付部、１５０…イメージ生成部、１６０…表示制御部、１７０…記憶部、１７１…記録データデータ格納部、１７１…記録データ格納部、１７２…描画面領域、１８０…表示装置、２００…測定値表示画面、２２０…測定値表示欄、２２１…現在値、２２２…チャネル番号、２２３…単位、２２４…トレンド波形、２２５…グリッド、２２６…上端値／下端値、５１０…波形表示領域、５１２…カーソル、５２０…スケール板、５２２…現在値マーク、５３０…値表示領域
【図１】
2014038071.tif 000003
【図２】
2014038071.tif 000004
【図３】
2014038071.tif 000005
【図４】
2014038071.tif 000006
【図５】
2014038071.tif 000007